(57)【要約】【課題】転送されてきた画像データを受信した装置において、その画像データの転送を指示した携帯端末装置のアドレス情報を知ることができるようにする。【解決手段】画像形成装置１０から端末装置４０に画像データを転送しようとする場合、携帯端末装置２０から画像形成装置１０に対して、宛先情報（端末装置４０のアドレス情報）と自装置のアドレス情報（携帯端末装置２０のアドレス情報）が含まれた転送指示を送信する（ステップＳ３０１）。この携帯端末装置２０からの転送指示を画像形成装置１０が受信すると（ステップＳ３０２）、転送指示を送信してきた携帯端末装置２０のアドレス情報を送信元として、指定された画像データを端末装置４０に転送する（ステップＳ３０３）。端末装置４０では、送信元が携帯端末装置２０のアドレス情報となっている画像データを画像形成装置１０から受信する（ステップＳ３０４）。【選択図】図７
2011055380.tif 000002
【特許請求の範囲】
【請求項１】
画像データを記憶する記憶手段と、
指定された画像データを外部の装置に対して転送する転送指示を受信する受信手段と、
前記受信手段により受信された転送指示を送信してきた装置のアドレス情報を、前記記憶手段に記憶されている画像データの中うちの前記転送指示により指定された画像データを指定された宛先に対して転送する転送手段と、
を有する画像形成装置。
【請求項２】
複数のアドレス情報を格納する格納手段と、
前記格納手段に格納されている複数のアドレス情報の中から、画像データを転送する装置のアドレス情報を選択する選択手段と、
前記選択手段により選択されたアドレス情報を画像データを転送する宛先として指定した転送指示を、自装置のアドレス情報を含めて画像形成装置に送信する送信手段と、
を有する携帯端末装置。
【請求項３】
指定された画像データを外部の装置に対して転送する転送指示を受信するステップと、
受信された転送指示を送信してきた装置のアドレス情報を、前記転送指示により指定された画像データを指定された宛先に対して転送するステップとをコンピュータに実行させるためのプログラム。
【請求項４】
格納されている複数のアドレス情報の中から、画像データを転送する装置のアドレス情報を選択するステップと、
選択されたアドレス情報を画像データを転送する宛先として指定した転送指示を、自装置のアドレス情報を含めて画像形成装置に送信するステップとをコンピュータに実行させるためのプログラム。
【発明の詳細な説明】
【技術分野】
【０００１】
本発明は、画像形成装置、携帯端末装置およびプログラムに関する。
【背景技術】
【０００２】
特許文献１には、ローカルデータベースに毎回アクセスすることなく、共用名簿データベースと個人用名簿データベースとの間で不一致が発生することを防止するための名簿管理システムが開示されている。
【０００３】
特許文献２には、ネットワークを介してアドレス帳を保持する複数のデータ通信装置が接続されるシステムにおいて、同一アドレスの重複登録を防止するようにしたデータ通信装置が開示されている。
【先行技術文献】
【特許文献】
【０００４】
【特許文献１】特開平１０−２９０２７９号公報
【特許文献２】特開２００７−８７２１７号公報
【発明の概要】
【発明が解決しようとする課題】
【０００５】
本発明の目的は、転送されてきた画像データを受信した装置において、その画像データの転送を指示した携帯端末装置のアドレス情報を知ることができる画像形成装置、携帯端末装置およびプログラムを提供することである。
【課題を解決するための手段】
【０００６】
［画像形成装置］
請求項１に係る本発明は、画像データを記憶する記憶手段と、
指定された画像データを外部の装置に対して転送する転送指示を受信する受信手段と、
前記受信手段により受信された転送指示を送信してきた装置のアドレス情報を、前記記憶手段に記憶されている画像データの中うちの前記転送指示により指定された画像データを指定された宛先に対して転送する転送手段とを有する画像形成装置である。
【０００７】
［携帯端末装置］
請求項２に係る本発明は、複数のアドレス情報を格納する格納手段と、
前記格納手段に格納されている複数のアドレス情報の中から、画像データを転送する装置のアドレス情報を選択する選択手段と、
前記選択手段により選択されたアドレス情報を画像データを転送する宛先として指定した転送指示を、自装置のアドレス情報を含めて画像形成装置に送信する送信手段とを有する携帯端末装置である。
【０００８】
［プログラム］
請求項３に係る本発明は、指定された画像データを外部の装置に対して転送する転送指示を受信するステップと、
受信された転送指示を送信してきた装置のアドレス情報を、前記転送指示により指定された画像データを指定された宛先に対して転送するステップとをコンピュータに実行させるためのプログラムである。
【０００９】
請求項４に係る本発明は、格納されている複数のアドレス情報の中から、画像データを転送する装置のアドレス情報を選択するステップと、
選択されたアドレス情報を画像データを転送する宛先として指定した転送指示を、自装置のアドレス情報を含めて画像形成装置に送信するステップとをコンピュータに実行させるためのプログラムである。
【発明の効果】
【００１０】
請求項１に係る本発明によれば、転送されてきた画像データを受信した装置において、その画像データの転送を指示した携帯端末装置のアドレス情報を知ることができる画像形成装置を提供することができる。
【００１１】
請求項２に係る本発明によれば、転送されてきた画像データを受信した装置において、その画像データの転送を指示した携帯端末装置のアドレス情報を知ることができる携帯端末装置を提供することができる。
【００１２】
請求項３に係る本発明によれば、転送されてきた画像データを受信した装置において、その画像データの転送を指示した携帯端末装置のアドレス情報を知ることができるプログラムを提供することができる。
【００１３】
請求項４に係る本発明によれば、転送されてきた画像データを受信した装置において、その画像データの転送を指示した携帯端末装置のアドレス情報を知ることができるプログラムを提供することができる。
【図面の簡単な説明】
【００１４】
【図１】本発明の一実施形態の画像形成装置のシステム構成を示す図である。
【図２】本発明の一実施形態における画像形成装置１０のハードウェア構成を示すブロック図である。
【図３】本発明の一実施形態における画像形成装置１０および携帯端末装置２０の機能構成を示すブロック図である。
【図４】本発明の一実施形態の携帯端末装置３０の動作を示すフローチャートである。
【図５】アドレス帳格納部２１に格納されているアドレス帳の一例を示す図である。
【図６】本発明の一実施形態の画像形成装置１０の動作を示すフローチャートである。
【図７】画像形成装置１０、携帯端末装置２０、端末装置４０の間のデータの送受信を説明するためのシーケンスチャートである。
【図８】画像データが転送されてきた端末装置４０に表示される情報の一例を示す図である。
【発明を実施するための形態】
【００１５】
次に、本発明の実施の形態について図面を参照して詳細に説明する。図１は本発明の一実施形態の画像形成システムの構成を示すブロック図である。
【００１６】
本発明の一実施形態の画像形成システムは、図１に示されるように、ネットワーク３０により相互に接続された画像形成装置１０、および端末装置４０と、画像形成装置１０との間で通信可能な携帯端末装置２０とにより構成される。なお、本実施形態では、説明を簡単にするために画像形成装置１０、携帯端末装置２０、端末装置４０が、それぞれ１つの場合を用いて説明しているが、画像形成装置１０、携帯端末装置２０、端末装置４０が複数存在する場合でも本願発明は同様に適用可能である。
【００１７】
画像形成装置１０は、印刷（プリント）機能、スキャン機能、複写（コピー）機能、ファクシミリ機能等の複数の機能を有するいわゆる複合機と呼ばれる装置である。ここで、携帯端末装置２０は、赤外線通信、無線ＬＡＮ、非接触ＩＣカードリーダとの間の通信等の各種通信手段により、画像形成装置１０との間でデータの送受信を行う機能を有している。
【００１８】
なお、以下の説明では、携帯端末装置２０の電子メールアドレスは「aaa@abcdefg.co.jp」であり、画像形成装置１０の電子メールアドレスは「bbb@abcdefg.co.jp」であり、端末装置４０の電子メールアドレスは「ccc@abcdefg.co.jp」であるものとして説明する。
【００１９】
次に、本実施形態の画像形成システムにおける画像形成装置１０のハードウェア構成を図２に示す。
【００２０】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２１】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２２】
また、携帯端末装置２０も、図２に示した画像形成装置１０のハードウェア構成と同様に、ＣＰＵ、メモリ、記憶装置、通信ＩＦ、ＵＩ装置等から構成される。そして、ＣＰＵは、メモリや記憶装置内に格納された制御プログラムに基づいて処理の処理を実行して携帯端末装置２０の動作を制御する。
【００２３】
図３は、上記の制御プログラムが実行されることにより実現される画像形成装置１０の機能構成および、携帯端末装置２０の機能構成を示すブロック図である。
【００２４】
本実施形態の画像形成装置１０は、図３に示されるように、画像読取部３１と、画像データ記憶部３２と、転送指示受信部３３と、データ転送部３４とを備えている。
【００２５】
画像読取部３１は、セットされた原稿画像を読み取って、画像データに変換する。画像データ記憶部３２は、画像読取部３１により読み取られた画像データを、他の装置に転送するための画像データとして記憶する。
【００２６】
転送指示受信部３３は、指定された画像データを外部の装置に対して転送する転送指示を、携帯端末装置２０から受信する。
【００２７】
データ転送部３４は、転送指示受信部３３により受信された転送指示を送信してきた装置のアドレス情報を送信元の情報として、画像データ記憶部３２に記憶されている画像データの中うちの転送指示により指定された画像データを指定された宛先に対して転送する。
【００２８】
また、携帯端末装置２０は、図３に示されるように、アドレス帳格納部２１と、アドレス選択部２２と、転送指示送信部２３とを備えている。
【００２９】
アドレス帳格納部２１は、電子メールアドレス等の複数のアドレス情報がリスト化されているアドレス帳を格納する。
【００３０】
アドレス選択部２２は、アドレス帳格納部２１に格納されている複数のアドレス情報の中から、画像データを転送する装置のアドレス情報を選択する。
【００３１】
転送指示送信部２３は、アドレス選択部２２により選択されたアドレス情報を画像データを転送する宛先として指定した転送指示を、自装置のアドレス情報を含めて画像形成装置１０に送信する。
【００３２】
次に、本実施形態の画像形成システムの動作について図面を参照して詳細に説明する。
【００３３】
先ず、携帯端末装置２０の動作を図４のフローチャートを参照して説明する。
画像形成装置１０に対して転送指示を送信しようとする場合、ユーザによる操作により携帯端末装置２０では、図５に示すように、アドレス帳格納部２１に格納されたアドレス帳を表示することにより宛先一覧表示が行われる（ステップＳ１０１）。
【００３４】
そして、表示されたアドレス帳から画像データを転送しようとする宛先が選択される（ステップＳ１０２）。図５に示したアドレス帳の例では、画像データを転送しようとして、電子メールアドレスが「ccc@abcdefg.co.jp」である端末装置４０が選択された場合が示されている。
【００３５】
そして、宛先が確定すると、この宛先の情報「ccc@abcdefg.co.jp」と自装置のアドレス情報「aaa@abcdefg.co.jp」を含む転送指示が、転送指示送信部２３を介して画像形成装置１０に送信される（ステップＳ１０３）
【００３６】
次に、画像形成装置１０の動作を図６のフローチャートを参照して説明する。
携帯端末装置２０からの転送指示を転送指示受信部３３が受信すると（ステップＳ２０１）、受信した転送指示に含まれる宛先情報および転送指示を送信してきた装置のアドレス情報（携帯端末装置２０のアドレス情報）がアドレス情報として適正なものであるか否かの確認が行われる（ステップＳ２０２）。
【００３７】
そして、転送しようとする画像データが既にスキャン済みのデータなのか、これからスキャンすべきなのかが判定され（ステップＳ２０３）、スキャンを実行すべき場合には画像読取部３１においてスキャン処理が行われる（ステップＳ２０３）。
【００３８】
そして、データ転送部３４は、転送指示受信部３３により受信された転送指示を送信してきた装置のアドレス情報（携帯端末装置２０のアドレス情報「aaa@abcdefg.co.jp」）を送信元の情報として、画像データ記憶部３２に記憶されている画像データの中うちの転送指示により指定された画像データを指定された宛先に対して転送する（ステップＳ２０５）。
【００３９】
次に、上記のような処理により実行される画像形成システム全体の動作を図７を参照して説明する。図７は、画像形成装置１０、携帯端末装置２０、端末装置４０の間のデータの送受信を説明するためのシーケンスチャートである。
【００４０】
画像形成装置１０でスキャンされた画像データを端末装置４０に転送しようとする場合、携帯端末装置２０から画像形成装置１０に対して、宛先情報（端末装置４０のアドレス情報「「ccc@abcdefg.co.jp」」）と自装置のアドレス情報（携帯端末装置２０のアドレス情報「aaa@abcdefg.co.jp」）が含まれた転送指示が送信される（ステップＳ３０１）。
【００４１】
この携帯端末装置２０からの転送指示を画像形成装置１０が受信すると（ステップＳ３０２）、転送指示を送信してきた携帯端末装置２０のアドレス情報「aaa@abcdefg.co.jp」を送信元として、指定された画像データを端末装置４０に転送する（ステップＳ３０３）。
【００４２】
端末装置４０では、図８に示されるように、送信元が携帯端末装置２０のアドレス情報「aaa@abcdefg.co.jp」となっている画像データを画像形成装置１０から受信する（ステップＳ３０４）。
【００４３】
[変形例]
上記実施形態では、アドレス情報として電子メールアドレスを用いる場合について説明したが、本発明はこれに限定されるものではなく、ファクシミリ番号、ネットワークアドレス等の他の情報をアドレス情報として用いる場合でも同様に本発明を適用することができるものである。
【符号の説明】
【００４４】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    携帯端末装置
２１    アドレス帳格納部
２２    アドレス選択部
２３    転送指示送信部
３０    ネットワーク
３１    画像読取部
３２    画像データ記憶部
３３    転送指示受信部
３４    データ転送部
４０    端末装置
【図１】
2011055380.tif 000003
【図２】
2011055380.tif 000004
【図３】
2011055380.tif 000005
【図４】
2011055380.tif 000006
【図５】
2011055380.tif 000007
【図６】
2011055380.tif 000008
【図７】
2011055380.tif 000009
【図８】
2011055380.tif 000010